(57)【要約】【課題】放送ＣＨ番号が変更になったことを自動的にユーザーへ知らせることを目的とする。【解決手段】放送信号に含まれる文字情報から放送局名を検出する放送局名デコード部５と、ＣＨ毎に検出した放送局名データを記憶する放送局名記憶部７と、同じＣＨの前回取得した放送局名データと今回取得した放送局名データとの比較判別を行う放送局名比較部６と、前記放送局名比較部の結果を受け取り警告表示出力の制御を行う選局制御部２と、前記選局制御部からの指令に基づき警告表示を行う警告表示部９を有し、放送局名比較部６での比較結果が異なっていた場合に警告表示部９にて警告表示を行うようにした構成。【選択図】  図１
2004165973.tif 000002
【特許請求の範囲】
【請求項１】
放送信号に含まれる文字情報から放送局名を検出する放送局名デコード部と、チャンネル（以下ＣＨと表示）毎に検出した放送局名データを記憶する放送局名記憶部と、
受信したＣＨの放送局名データが前記放送局名記憶部に保持されたデータと一致しているかどうかの比較判別を行う放送局名比較部と、前記放送局名比較部の結果を受け取り警告表示出力の制御を行う選局制御部と、前記選局制御部からの指令に基づき警告表示を行う警告表示部を有し、前記放送局名比較部での比較結果が異なっていた場合に前記警告表示部にて警告表示を行うことを特徴とする選局装置。
【請求項２】
放送信号に含まれる文字情報から放送局名を検出する放送局名デコード部と、ＣＨ毎に検出した放送局名データを記憶する放送局名記憶部と、受信したＣＨの放送局名データが前記放送局名記憶部に保持されたデータと一致しているかどうかの比較判別を行う放送局名比較部と、前記放送局名比較部の結果を受け取り自動ＣＨプリセットの制御を行う選局制御部を有し、前記放送局名比較部での比較結果が異なっていた場合に自動的にＣＨプリセットを行うことを特徴とする選局装置。
【請求項３】
放送信号に含まれる文字情報から放送局名を検出する放送局名デコード部と、ＣＨ毎に検出した放送局名データを記憶する放送局名記憶部と、受信したＣＨの放送局名データが前記放送局名記憶部に保持されたデータと一致しているかどうかの比較判別を行う放送局名比較部と、ユーザーによる自動ＣＨプリセットＯＮまたはＯＦＦ情報を記憶する自動ＣＨプリセットＯＮ／ＯＦＦ記憶部と、前記放送局名比較部の結果と前記自動ＣＨプリセットＯＮ／ＯＦＦ記憶部の情報を受け取り自動ＣＨプリセットの制御を行う選局制御部を有し、前記放送局名比較部での比較結果が異なっていてかつ、前記自動ＣＨプリセットＯＮ／ＯＦＦ記憶部の情報がＯＮである場合に、自動的にＣＨプリセットを行うことを特徴とする選局装置。
【発明の詳細な説明】
【０００１】
【発明の属する技術分野】
本発明はテレビジョン受像機に関するものであり特に、放送局名データや時刻データなどといった種々の情報を付加して、テレビジョン信号の同期信号部分に重畳し送信される信号をデコードする機能を有するテレビジョン受像機に関するものである。
【０００２】
【従来の技術】
従来の技術では例えば、放送信号に含まれる文字情報から放送局名を検出し、記憶している地域別の放送局名と比較することによりプリセット時に地域の入力を必要とせずに地域を判定できるものがあった。（特許文献１参照）
また、ＣＨ  ＵＰまたはＣＨ  ＤＯＷＮボタンによりＣＨを選局する場合、プリセットされたＣＨを順番に選局することが知られている。
【０００３】
また、米国では、放送局名データや時刻データ等の種々の情報を付加して送信するいわゆるＸＤＳ（ｅＸｔｅｎｄｅｄ  Ｄａｔａ  Ｓｅｒｖｉｃｅ）放送がされている。  このようなＸＤＳ放送の受信が可能な電子機器では、ＣＨ選局時に放送局名データを表示する機能を備えているものがある。  それから、その地域において受信可能なＣＨ特にＣＡＴＶ受信において放送局の割り当てＣＨに変更があった場合ユーザーは変更があったことをＣＡＴＶ会社からの連絡あるいはＣＭ等により知り得る。米国では特に若いＣＨ番号のＣＨが人気が高く、頻繁に放送ＣＨが変更になることが知られている。
【０００４】
また、車載機器の場合、使用エリアが変わると同じＣＨでも放送局が変わったりする。
【０００５】
【特許文献１】
特開平１０−６５４９７号公報
【０００６】
【発明が解決しようとする課題】
しかしながら、上記のような構成では、ＣＡＴＶなどで放送ＣＨの変更があった時、ＣＡＴＶ会社からの連絡がなかったりあるいは連絡に気づかなかった場合、または車載用機器の場合では使用エリアが変わった場合は、同じＣＨでも今までの放送内容と異なったり、あるいは放送がされなくなったりして困惑する可能性がある。また、ユーザーが初期設定操作を行いＣＨプリセットをやり直す必要が生じる。
【０００７】
本発明は、前記従来の課題を解決するもので、放送ＣＨが変わったことを自動的に検知し、ユーザーへ警告表示を行うことを目的とする。また、放送ＣＨが変わったことを自動的に検知することにより、ＣＨのプリセットを自動的に行うことを目的とする。
【０００８】
【課題を解決するための手段】
前記課題を解決するために、本発明の選局装置では、放送信号に含まれる文字情報から放送局名データを検出し、受信したＣＨの放送局名データが、同じＣＨの前回取得した放送局名データと一致しているかどうかを比較判別することによって放送局が変更されたことを検知し警告表示することを特徴としたものである。これにより、ユーザーは自動的に放送局の変化を知ることを可能にする。
【０００９】
また、本発明の選局装置では、放送信号に含まれる文字情報から放送局名データを検出し、受信したＣＨの放送局名データが、同じＣＨの前回取得した放送局名データと一致しているかどうかを比較判別することによって放送局が変更されたことを検知し、自動的にＣＨプリセットを行うことを特徴としたものである。
これにより、放送局が変化しても放送局の変化を自動的に検知し、自動的にＣＨプリセットを実行することにより変化した放送局に適応したプリセット状態にすることを可能にする。
【００１０】
【発明の実施の形態】
本発明の請求項１に記載の発明は、放送信号に含まれる文字情報から放送局名データを検出する放送局名デコード部と、ＣＨ毎に検出した放送局名データを記憶する放送局名記憶部と、受信したＣＨの放送局名データが、同じＣＨの前回取得した放送局名データと一致しているかどうかを比較判別する放送局名比較部と、前記放送局名比較部の結果を受け取り警告表示出力の制御を行う選局制御部と、前記選局制御部からの指令に基づき警告表示を行う警告表示部を有し、前記放送局名比較部での比較結果が異なっていた場合に前記警告表示部にて警告表示を行うことを特徴としたものであり、自動的に放送局の変化を知ることを可能ににすることができる。
【００１１】
請求項２に記載の発明は、放送信号に含まれる文字情報から放送局名を検出する放送局名デコード部と、ＣＨ毎に検出した放送局名データを記憶する放送局名記憶部と、同じＣＨの前回取得した放送局名データと一致しているかどうかを比較判別する放送局名比較部と、前記放送局名比較部の結果を受け取り自動ＣＨプリセットの制御を行う選局制御部を有し、前記放送局名比較部での比較結果が異なっていた場合に自動的にＣＨプリセットを行うことを特徴とするものであり、放送局が変化しても放送局の変化を自動的に検知し、自動的にＣＨプリセットを実行することにより変化した放送局に適応したプリセット状態にすることを可能にすることができる。
【００１２】
請求項３に記載の発明は、放送信号に含まれる文字情報から放送局名を検出する放送局名デコード部と、ＣＨ毎に検出した放送局名データを記憶する放送局名記憶部と、同じＣＨの前回取得した放送局名データと一致しているかどうかを比較判別する放送局名比較部と、ユーザーによる自動ＣＨプリセットＯＮまたはＯＦＦ情報を記憶する自動ＣＨプリセットＯＮ／ＯＦＦ記憶部と、前記放送局名比較部の結果と前記自動ＣＨプリセットＯＮ／ＯＦＦ記憶部の情報を受け取り自動ＣＨプリセットの制御を行う選局制御部を有し、前記放送局名比較部での比較結果が異なっていてかつ、前記自動ＣＨプリセットＯＮ／ＯＦＦ記憶部の情報がＯＮである場合に、自動的にＣＨプリセットを行うことを特徴とするものであり、放送局が変化しても放送局の変化を自動的に検知し、ユーザーの自動ＣＨプリセットＯＮ／ＯＦＦ選択によりＯＮを選択している場合は、自動的にＣＨプリセットを実行することにより変化した放送局に適応したプリセット状態にすることを可能にすることができる。
（実施の形態１）
以下に、本発明の請求項１に記載された発明の実施の形態について、図１、図３、図４、図５、図６を用いて説明する。
【００１３】
図１は、本実施の形態１及び実施の形態２における選局装置の主要部構成ブロック図であり、その動作を説明する。図１において、ＫＥＹ入力部１はユーザーによるＣＨ  ＵＰまたはＤＯＷＮボタンなどの操作を受け付けるところである。
選局制御部２は、ＫＥＹ入力部からのＫＥＹ情報に従いチューナー４に選局司令を送る。チューナー４はアンテナ３を介して受信する映像信号を選局指令に基づいて選局し、選局した映像信号を放送局名デコード部５へ送ると同時に表示制御部８へも送り、表示制御部８を介してモニター９から選局した映像信号を表示する。放送局名デコード部５では映像信号の同期信号部分に重畳し送信されるＸＤＳ信号のうち放送局名データをデコードしその結果を放送局名比較部６へ送る。
放送局名比較部６では放送局名記憶部７に記憶されている同じＣＨの前回取得した放送局名データがあるかどうか調べ、ない場合は取得した放送局名データを放送局名記憶部７に記憶し、ある場合はそのデータを取りだし今回取得した放送局名データと同じかどうか比較しその結果を選局制御部２へ送る。そして比較した結果、放送局名データが異なる場合は放送局変更警告表示ＯＳＤ（Ｏｎ  Ｓｃｒｅｅｎ  Ｄｉｓｐｌａｙ）データを表示制御部８へ送る。表示制御部８ではチューナー４から送られてくる映像信号に選局制御部２から送られてくるＯＳＤデータを重畳しモニター９から放送局変更警告表示を行う。
【００１４】
次に図５は放送局名記憶部メモリ図である。その内容を説明すると、各ＣＨ毎に放送局名データ４文字分を４バイトづつのデータで持つ。この例では０１ＣＨの放送局名は”ＡＢＣ”、０２ＣＨの放送局名は”ＷＣＢＳ”、０３ＣＨの放送局名は”ＷＮＥＴ”、１２５ＣＨの放送局名は”Ａ＆Ｅ”ということになる。また、図６は放送局変更警告表示例であり、放送局名データが変化したことを検知するとモニターに”放送局が変わりました”という警告表示が出ることになる。
【００１５】
次に放送局変化警告表示の詳細動作について図３，図４を用いて説明する。図３は本実施の形態１及び実施の形態２及び実施の形態３における自動ＣＨプリセットの主要フローチャートであり、通常初期設定操作によりＣＨのプリセットを行う。図４は本実施の形態１における放送局変更警告表示方法の主要フローチャートである。
【００１６】
図３において符号Ｓ１１は自動ＣＨプリセット開始部、符号Ｓ１２は０１ＣＨ選局部、符号Ｓ１３は信号有りなし判定部、符号Ｓ１４は放送局名データ有りなし判定部、符号Ｓ１５は放送局名記憶部、符号Ｓ１６ＣＨデータ記憶部、符号Ｓ１７は  全ＣＨプリセット完了済み判定部、符号Ｓ１８は次のＣＨ選局部、符号Ｓ１９は自動ＣＨプリセット終了部である。
【００１７】
まずユーザーによる自動ＣＨプリセット開始操作をＫＥＹ入力部１で受け、そのＫＥＹ入力情報を元に選局制御部２によりＳ１２において最初のＣＨである０１ＣＨの選局指令をチューナー４へ出す。そして選局制御部２によりＳ１３において映像信号があるかどうか判定する。そして映像信号がない場合はＳ１７において全てのＣＨについてプリセット完了したか判定を行い、全てのＣＨについてプリセット完了した場合はＳ１９において自動ＣＨプリセットを終了する。また全てのＣＨについてプリセット完了していない場合はプラス１した次のＣＨの選局指令をチューナー４へ出す。
【００１８】
Ｓ１３においての判定結果信号がある場合は、放送局名デコード部５により放送局名データをデコードしその結果を放送局名比較部６へ送り、放送局名比較部６によりＳ１４において放送局名データがあるかどうか判定し、ある場合は放送局名記憶部７へＳ１５放送局名記憶において放送局名を記憶する。そしてある場合ない場合共に放送局名記憶部７へＳ１６ＣＨ記憶においてＣＨ番号を記憶する。その後Ｓ１７において全てのＣＨについてプリセット完了したか判定を行い、全てのＣＨについてプリセット完了した場合はＳ１９において自動ＣＨプリセットを終了する。また全てのＣＨについてプリセット完了していない場合はプラス１した次のＣＨの選局指令をチューナー４へ出す。以上のようにして全ＣＨに対してプリセットを行う。
【００１９】
次にＣＨプリセット完了後のＣＨ選局時に放送局が変化していた場合に放送局変更警告表示を行う動作を図４を用いて説明する。
【００２０】
図４において符号Ｓ２１は放送局変更警告表示開始部、符号Ｓ２２はＣＨ選局部、符号Ｓ２３は放送局名データ有りなし判定部、符号Ｓ２４は放送局名データ取得部、符号Ｓ２５は放送局名データ取得済み判定部、符号Ｓ２６は放送局名記憶部、符号Ｓ２７は放送局名変化判定部、符号Ｓ２８は放送局名記憶部
、符号Ｓ２９は放送局変更警告表示部、符号Ｓ２Ａは放送局変更警告表示終了部である。
【００２１】
まず、ユーザーによるＣＨ選局操作をＫＥＹ入力部１で受け、そのＫＥＹ入力情報を元に選局制御部２によりＳ２２において選局指令をチューナー４へ出す。
選局した映像信号から放送局名デコード部５により放送局名データをデコードしその結果を放送局名比較部６へ送る。放送局名比較部６によりＳ２３において放送局名データがあるかどうか判定する。そしてない場合はＳ２Ａにおいて終了する。ある場合はＳ２４において放送局名データを取得し、放送局名記憶部７に今回選局したＣＨの放送局名データが記憶されているかどうかＳ２５において判定する。そして、記憶されていない場合はＳ２６において放送局名記憶部７へ今回取得した放送局名データを記憶し、Ｓ２Ａにて終了する。既に記憶済みの場合は記憶されている放送局名と今回取得した放送局名をＳ２７にて比較する。その結果同じ場合はＳ２Ａにて終了し、異なる場合は、その結果を選局制御部２へ送ると共にＳ２８において放送局名記憶部７へ今回取得した放送局名データを記憶する。そして選局制御部２から放送局変更警告表示ＯＳＤデータを表示制御部８へ送りモニター９からＳ２９において放送局変更警告表示を行う。
【００２２】
以上のように、放送信号に含まれる文字情報から放送局名を検出し、同じＣＨの前回取得した放送局名との比較判別によって放送局が変更されたことを検知することによりユーザーへ警告表示することができる。
【００２３】
なお、放送局変更警告表示はモニターの代わりに、ＬＥＤや蛍光表示管などを使用しても同様の効果が得られる。
（実施の形態２）
以下に、本発明の請求項２に記載された発明の実施の形態について、図１、図３、図５、図７、図８を用いて説明する。図１、図３、図５については実施の形態１で説明したとおりである。
【００２４】
まず図３の自動ＣＨプリセットの主要フローチャートに従い自動ＣＨプリセットが完了した状態であるとする。
次にＣＨプリセット完了後のＣＨ選局時に、放送局が変化していた場合に自動的にＣＨプリセットを行う動作を、図７及び図８を用いて説明する。
【００２５】
図７は、本実施の形態２における放送局名変化判定方法の主要フローチャートである。図７において符号Ｓ３１は放送局名変化判定開始部、符号Ｓ３２はＣＨ選局部、符号Ｓ３３は放送局名データ有りなし判定部、符号Ｓ３４は放送局名データ取得部、符号Ｓ３５は放送局名記憶済み判定部、符号Ｓ３６は放送局名記憶部、符号Ｓ３７  は放送局名比較部、符号Ｓ３８は放送局名記憶部、符号Ｓ３９  は放送局名変化フラグセット部、符号Ｓ３Ａは放送局名変化判定終了部である。
【００２６】
まず、ユーザーによるＣＨ選局操作をＫＥＹ入力部１で受け、そのＫＥＹ入力情報を元に選局制御部２によりＳ３２において選局指令をチューナー４へ出す。選局した映像信号から放送局名デコード部５により放送局名データをデコードしその結果を放送局名比較部６へ送る。放送局名比較部６によりＳ３３において放送局名データがあるかどうか判定する。そしてない場合はＳ３Ａにおいて終了する。ある場合はＳ３４において放送局名データを取得し、放送局名記憶部７に今回選局したＣＨの放送局名データが記憶されているかどうかＳ３５において判定する。そして、記憶されていない場合はＳ３６において放送局名記憶部７へ今回取得した放送局名データを記憶し、Ｓ３Ａにて終了する。既に記憶済みの場合は記憶されている放送局名と今回取得した放送局名をＳ３７にて比較する。その結果同じ場合はＳ３Ａにて終了し、異なる場合は、その結果を選局制御部２へ送ると共にＳ３８において放送局名記憶部７へ今回取得した放送局名データを記憶する。そしてＳ３９において放送局が変化したことを示す、放送局変化フラグをセットしＳ３Ａにて終了する。
【００２７】
次に図８は本実施の形態２における自動ＣＨプリセット実行判定フローチャートである。図８において符号Ｓ４１は自動ＣＨプリセット実行判定開始部、符号Ｓ４２はＰＯＷＥＲ状態変化判定部、符号Ｓ４３は放送局名変化フラグ判定部、符号Ｓ４４は放送局名変化フラグクリア部、符号Ｓ４５は自動ＣＨプリセット実行部、符号Ｓ４６  は自動ＣＨプリセット実行判定終了部である。
【００２８】
まず、Ｓ４２においてＰＯＷＥＲがＯＮからＯＦＦに変化したかどうか判定する。そして変化していない場合はＳ４６にて終了する。また変化した場合は、Ｓ４３にて図７の本実施の形態２における放送局名変化判定方法の主要フローチャートにて設定される放送局変化フラグがセットされているかどうか判定する。そして変化していない場合はＳ４６にて終了する。また変化した場合は、Ｓ４４にて放送局名変化フラグをクリアし、Ｓ４５にて図３の自動ＣＨプリセットの主要フローチャートに従って自動ＣＨプリセットを実行しＳ４６にて終了する。
【００２９】
以上のように、放送信号に含まれる文字情報から放送局名を検出し、同じＣＨの前回取得した放送局名との比較判別によって放送局が変更されたことを検知し、自動的にＣＨプリセットを行うことができる。
（実施の形態３）
以下に、本発明の請求項３に記載された発明の実施の形態について、図２、図３、図５、図６及び図９から図１１を用いて説明する。図３、図５、図６については実施の形態１で説明したとおりである。
【００３０】
図２は、本実施の形態３における選局装置の主要部構成ブロック図であり、その動作を説明する。図２において、ＫＥＹ入力部１はユーザーによるＣＨ  ＵＰまたはＤＯＷＮボタンなどの操作を受け付けるところである。選局制御部２はＫＥＹ入力部からのＫＥＹ情報に従いチューナー４に選局司令を送る。チューナー４はアンテナ３を介して受信する映像信号を選局指令に基づいて選局し、選局した映像信号を放送局名デコード部５へ送ると同時に表示制御部８へも送り、表示制御部８を介してモニター９から選局した映像信号を表示する。放送局名デコード部５では映像信号の同期信号部分に重畳し送信されるＸＤＳ信号のうち放送局名データをデコードしその結果を放送局名比較部６へ送る。放送局名比較部６では放送局名記憶部７に記憶されている同じＣＨの前回取得した放送局名データがあるかどうか調べ、ない場合は取得した放送局名データを放送局名記憶部７に記憶し、ある場合はそのデータを取りだし今回取得した放送局名データと同じかどうか比較しその結果を選局制御部２へ送る。また、符号１０は自動ＣＨプリセットＯＮ／ＯＦＦ記憶部であり、図１０自動ＣＨプリセットＯＮ／ＯＦＦ選択メニュー表示によりユーザーが自動ＣＨプリセットＯＮ／ＯＦＦを選択した情報の記憶部である。そして、選局制御部２において放送局名の比較結果が異なっておりかつ自動ＣＨプリセットＯＮ／ＯＦＦ情報がＯＮであった場合、図３の自動ＣＨプリセットの主要フローチャートに従って自動ＣＨプリセットを実行する。
【００３１】
また、選局制御部２において放送局名の比較結果が異なっておりかつ自動ＣＨプリセットＯＮ／ＯＦＦ情報がＯＦＦであった場合は図６の放送局変更警告表示ＯＳＤ（Ｏｎ  Ｓｃｒｅｅｎ  Ｄｉｓｐｌａｙ）データを表示制御部８へ送る。
表示制御部８ではチューナー４から送られてくる映像信号に選局制御部２から送られてくるＯＳＤデータを重畳しモニター９から放送局変更警告表示を行う。
【００３２】
次に放送局変化警告表示の詳細動作について図３及び図９から図１１を用いて説明する。まず図３の自動ＣＨプリセットの主要フローチャートに従い自動ＣＨプリセットが完了した状態であるとする。
【００３３】
次にＣＨプリセット完了後のＣＨ選局時に、放送局が変化していた場合に放送局変更警告表示を行うかあるいは、自動的にＣＨプリセットを行う動作を、図９から図１１を用いて説明する。図９は、本実施の形態３における自動ＣＨプリセット実行判定方法の主要フローチャートである。
【００３４】
図９において符号Ｓ５１は自動ＣＨプリセット実行判定開始部、符号Ｓ５２はＣＨ選局部、符号Ｓ５３は放送局名データ有りなし判定部、符号Ｓ５４は放送局名データ取得部、符号Ｓ５５は放送局名記憶済み判定部、符号Ｓ５６は放送局名記憶部、符号Ｓ５７は放送局名比較部、符号Ｓ５８は放送局名記憶部、符号Ｓ５９は自動ＣＨプリセットＯＮ／ＯＦＦ判定部、符号Ｓ５Ａは放送局変更警告表示部、符号Ｓ５Ｂは自動ＣＨプリセット開始メッセージ表示部、符号Ｓ５Ｃは自動ＣＨプリセット開始判定部、符号Ｓ５Ｄは自動ＣＨプリセット実行部、符号Ｓ５Ｅは自動ＣＨプリセット実行判定終了部である。
【００３５】
まず、ユーザーによるＣＨ選局操作をＫＥＹ入力部１で受け、そのＫＥＹ入力情報を元に選局制御部２によりＳ５２において選局指令をチューナー４へ出す。
選局した映像信号から放送局名デコード部５により放送局名データをデコードしその結果を放送局名比較部６へ送る。放送局名比較部６によりＳ５３において放送局名データがあるかどうか判定する。そしてない場合はＳ５Ｅにおいて終了する。ある場合はＳ５４において放送局名データを取得し、放送局名記憶部７に今回選局したＣＨの放送局名データが記憶されているかどうかＳ５５において判定する。そして、記憶されていない場合はＳ５６において放送局名記憶部７へ今回取得した放送局名データを記憶し、Ｓ５Ｅにて終了する。既に記憶済みの場合は記憶されている放送局名と今回取得した放送局名をＳ５７にて比較する。その結果同じ場合はＳ５Ｅにて終了し、異なる場合は、その結果を選局制御部２へ送ると共にＳ５８において放送局名記憶部７へ今回取得した放送局名データを記憶する。そして選局制御部２において、自動ＣＨプリセットＯＮ／ＯＦＦ記憶部１０の情報をＳ５９において判定する。そしてＯＦＦの場合は選局制御部２から放送局変更警告表示ＯＳＤデータを表示制御部８へ送りモニター９からＳ５Ａにおいて図６の放送局変更警告表示を行う。
【００３６】
ＯＮの場合は、Ｓ５Ｂにおいて図１１自動ＣＨプリセット開始メッセージ表示を行う。そして、Ｓ５Ｃにおいて自動ＣＨプリセット開始の判定を行い、ユーザーによりＣＨＵＰボタンが押され”ＹＥＳ”が選択された場合は、Ｓ５Ｄにおいて図３の自動ＣＨプリセットの主要フローチャートに従って自動ＣＨプリセットを実行しＳ５Ｅにて終了する。
【００３７】
また、ＡＣＴＩＯＮボタンが押された場合は自動ＣＨプリセットを実行せずにＳ５Ｅにて終了する。
【００３８】
以上のように、放送信号に含まれる文字情報から放送局名を検出し、同じＣＨの前回取得した放送局名との比較判別によって放送局が変更されたことを検知し、ユーザーによる自動ＣＨプリセットＯＮ／ＯＦＦ情報に従い、ＯＦＦの場合は放送局変更警告表示を行い、ＯＮの場合はユーザーの選択により簡単に自動的にＣＨプリセットを行うことができる。
【００３９】
【発明の効果】
以上のように、請求項１に記載の発明によれば、放送信号に含まれる文字情報から放送局名データを検出し、受信したＣＨの放送局名データが放送局名記憶部に保持されたデータと一致しているかどうかの比較判別によって放送局が変更されたことを検知し警告表示することにより、ユーザーに自動的に放送局の変化を知らせることを可能にするという有利な効果が得られる。
【００４０】
また、請求項２，３に記載の発明によれば、放送信号に含まれる文字情報から放送局名データを検出し、受信したＣＨの放送局名データが放送局名記憶部に保持されたデータと一致しているかどうかの比較判別によって放送局が変更されたことを検知し、自動的にＣＨプリセットを実行することにより、容易に変化した放送局に適応したプリセット状態にすることを可能にするという有利な効果が得られる。
【図面の簡単な説明】
【図１】本実施の形態１及び実施の形態２における選局装置の主要部構成ブロック図
【図２】本実施の形態３における選局装置の主要部構成ブロック図
【図３】本実施の形態１及び実施の形態２及び実施の形態３における自動ＣＨプリセットの主要フローチャート
【図４】本実施の形態１における放送局変更警告表示方法の主要フローチャート
【図５】放送局名記憶部メモリ図
【図６】放送局変更警告表示を示す図
【図７】本実施の形態２における放送局名変化判定方法の主要フローチャート
【図８】本実施の形態２における自動ＣＨプリセット実行判定フローチャート
【図９】本実施の形態３における自動ＣＨプリセット実行判定方法の主要フローチャート
【図１０】自動ＣＨプリセットＯＮ／ＯＦＦ選択メニュー表示を示す図
【図１１】自動ＣＨプリセット開始メッセージ表示を示す図
【符号の説明】
１    ＫＥＹ入力部
２    選局制御部
３      アンテナ
４      チューナー
５      放送局名デコード部
６    放送局名比較部
７    放送局名記憶部
８    表示制御部
９      モニター
１０  自動ＣＨプリセットＯＮ／ＯＦＦ記憶部
【図１】
2004165973.tif 000003
【図２】
2004165973.tif 000004
【図３】
2004165973.tif 000005
【図４】
2004165973.tif 000006
【図５】
2004165973.tif 000007
【図６】
2004165973.tif 000008
【図７】
2004165973.tif 000009
【図８】
2004165973.tif 000010
【図９】
2004165973.tif 000011
【図１０】
2004165973.tif 000012
【図１１】
2004165973.tif 000013